(57)【特許請求の範囲】
【請求項１】
画面への筆記するための部位の接触状況を取得する接触状況取得部と、
前記接触状況取得部が取得した前記筆記するための部位の接触状況に応じて実行する処理を判断する判断部と、
前記判断部による判断に基づいて前記画面に表示する内容を制御するとともに、前記筆記するための部位を用いて前記画面に表示された内容を読ませるための実線を前記内容の近傍に引かせる記入領域を設定する画面表示制御部と、
前記画面表示制御部が設定した前記記入領域に前記実線が引かれたことを判定する判定部と、
を備え、
前記判断部は、前記実線が引かれたことの判定指示を受け付け、前記接触状況取得部が取得した前記筆記するための部位の接触状況を取得して、前記記入領域に前記実線が引かれたことを前記判定部に判定させることを特徴とする、情報処理装置。
【請求項２】
前記画面表示制御部は、前記画面に表示する所定の文章の下部に前記記入領域を、該所定の文章の行単位で設定することを特徴とする、請求項１に記載の情報処理装置。
【請求項３】
前記画面表示制御部は、前記記入領域の内部の所定の領域に始点領域及び終点領域を設定し、
前記判定部は、前記記入領域に前記実線が引かれたことを、該実線の始点が前記始点領域に、終点が前記終点領域に存在しているかどうかで判定することを特徴とする、請求項２に記載の情報処理装置。
【請求項４】
前記画面表示制御部は、前記始点領域を、前記記入領域の左端から、前記画面に表示する前記所定の文章の先頭の文字と２文字目の間まで設定することを特徴とする、請求項３に記載の情報処理装置。
【請求項５】
前記画面表示制御部は、前記終点領域を、前記記入領域の右端から、前記画面に表示する前記所定の文章の最後の文字と右から２文字目の間まで設定することを特徴とする、請求項３または４に記載の情報処理装置。
【請求項６】
前記画面表示制御部は、前記所定の文章が句読点で区切られている場合に、前記記入領域を、該句読点に対応する位置で区切って設定することを特徴とする、請求項２に記載の情報処理装置。
【請求項７】
前記判定部は、前記記入領域に引かれた前記実線が該記入領域をはみ出していないことを、前記記入領域に前記実線が引かれたことの条件とすることを特徴とする、請求項１に記載の情報処理装置。
【請求項８】
前記筆記するための部位は、筆記具であることを特徴とする、請求項１〜７のいずれかに記載の情報処理装置。
【請求項９】
画面への筆記するための部位の接触状況を取得する接触状況取得ステップと、
前記接触状況取得ステップで取得された前記筆記するための部位の接触状況に応じて実行する処理を判断する判断ステップと、
前記判断ステップでの判断に基づいて前記画面に表示する内容を制御するとともに、前記筆記するための部位を用いて前記画面に表示された内容を読ませるための実線を前記内容の近傍に引かせる記入領域を設定する画面表示制御ステップと、
前記画面表示制御ステップで設定された前記記入領域に前記実線が引かれたことを判定する判定ステップと、
を備え、
前記判断ステップは、前記実線が引かれたことの判定指示を受け付け、前記接触状況取得ステップで取得された前記筆記するための部位の接触状況を取得して、前記記入領域に前記実線が引かれたことを前記判定ステップで判定させることを特徴とする、情報処理方法。
【請求項１０】
コンピュータに、
画面への筆記するための部位の接触状況を取得する接触状況取得ステップと、
前記接触状況取得ステップで取得された前記筆記するための部位の接触状況に応じて実行する処理を判断する判断ステップと、
前記判断ステップでの判断に基づいて前記画面に表示する内容を制御するとともに、前記筆記するための部位を用いて前記画面に表示された内容を読ませるための実線を前記内容の近傍に引かせる記入領域を設定する画面表示制御ステップと、
前記画面表示制御ステップで設定された前記記入領域に前記実線が引かれたことを判定する判定ステップと、
を実行させ、
前記判断ステップは、前記実線が引かれたことの判定指示を受け付け、前記接触状況取得ステップで取得された前記筆記するための部位の接触状況を取得して、前記記入領域に前記実線が引かれたことを前記判定ステップで判定させることを特徴とする、コンピュータプログラム。
【発明の詳細な説明】
【技術分野】
【０００１】
本発明は、情報処理装置、情報処理方法およびコンピュータプログラムに関する。
【背景技術】
【０００２】
銀行など金融機関の営業店舗窓口では日常的に、来店した顧客から依頼されて様々な業務が行われている。そのような業務の中には、例えば顧客に対して実施すべき事項が複数存在する場合がある。例えば、銀行の新規口座開設においては、顧客による帳票への氏名や住所等の記入、帳票への印鑑の押印、身分証明書の提示等の実施すべき事項が複数存在する。しかし、人間の力だけに頼ると、このような実施すべき事項の実施に漏れが出る場合がある。
【０００３】
そこで、従来においては、例えば特許文献１〜３に記載された発明のように、業務での実施漏れを低減するために、実施すべき事項を業務の流れに沿って順番に画面に表示する技術が存在する。さらに、図１に示すように、画面に表示されているチェックボックスをマウスクリックによりチェックさせることで細い注意喚起を促すことが可能になり、業務漏れの低減に役立っている。また近年では、タブレットと言われる板状の情報表示装置に、電子ペン等で文字を記入させることで、金融機関における業務を顧客に行わせる取引システムが存在する。
【先行技術文献】
【特許文献】
【０００４】
【特許文献１】特許第４２２８７７７号公報
【特許文献２】特開２００８−１０７９３２号公報
【特許文献３】特開２００７−２４１３３０号公報
【発明の概要】
【発明が解決しようとする課題】
【０００５】
しかし、画面に表示されているチェックボックスをマウスクリックによりチェックさせるという方法では、実際にチェックボックスの横に表示されている説明文を読まなくても、顧客はチェックボックスにチェックをつけることが可能であるという問題があった。例えば、業務に慣れた人は、画面に表示されている文章を読まずにチェックボックスにチェックを付けてしまい、業務漏れの低減という効果が薄くなってしまうという問題があった。
【０００６】
そこで、本発明は、上記問題に鑑みてなされたものであり、本発明の目的とするところは、ユーザに対し、画面に表示されている文章を読ませる意識を向上させることで業務漏れの低減を図ることが可能な、新規かつ改良された情報処理装置、情報処理方法およびコンピュータプログラムを提供することにある。
【課題を解決するための手段】
【０００７】
上記課題を解決するために、本発明のある観点によれば、画面への筆記するための部位の接触状況を取得する接触状況取得部と、前記接触状況取得部が取得した前記筆記するための部位の接触状況に応じて実行する処理を判断する判断部と、前記判断部による判断に基づいて前記画面に表示する内容を制御するとともに、前記筆記するための部位を用いて前記画面に表示された内容を読ませるための実線を前記内容の近傍に引かせる記入領域を設定する画面表示制御部と、前記画面表示制御部が設定した前記記入領域に前記実線が引かれたことを判定する判定部と、を備え、前記判断部は、前記実線が引かれたことの判定指示を受け付け、前記接触状況取得部が取得した前記筆記するための部位の接触状況を取得して、前記記入領域に前記実線が引かれたことを前記判定部に判定させることを特徴とする、情報処理装置が提供される。
【０００８】
前記画面表示制御部は、前記画面に表示する所定の文章の下部に前記記入領域を、該所定の文章の行単位で設定するようにしてもよい。
【０００９】
前記画面表示制御部は、前記記入領域の内部の所定の領域に始点領域及び終点領域を設定し、前記判定部は、前記記入領域に前記実線が引かれたことを、該実線の始点が前記始点領域に、終点が前記終点領域に存在しているかどうかで判定するようにしてもよい。
【００１０】
前記画面表示制御部は、前記始点領域を、前記記入領域の左端から、前記画面に表示する前記所定の文章の先頭の文字と２文字目の間まで設定するようにしてもよい。
【００１１】
前記画面表示制御部は、前記終点領域を、前記記入領域の右端から、前記画面に表示する前記所定の文章の最後の文字と右から２文字目の間まで設定するようにしてもよい。
【００１２】
前記画面表示制御部は、前記所定の文章が句読点で区切られている場合に、前記記入領域を、該句読点に対応する位置で区切って設定するようにしてもよい。
【００１３】
前記判定部は、前記記入領域に引かれた前記実線が該記入領域をはみ出していないことを、前記記入領域に前記実線が引かれたことの条件とするようにしてもよい。また、前記筆記するための部位は、筆記具であってもよい。
【００１４】
また、上記課題を解決するために、本発明の別の観点によれば、画面への筆記するための部位の接触状況を取得する接触状況取得ステップと、前記接触状況取得ステップで取得された前記筆記するための部位の接触状況に応じて実行する処理を判断する判断ステップと、前記判断ステップでの判断に基づいて前記画面に表示する内容を制御するとともに、前記筆記するための部位を用いて前記画面に表示された内容を読ませるための実線を前記内容の近傍に引かせる記入領域を設定する画面表示制御ステップと、前記画面表示制御ステップで設定された前記記入領域に前記実線が引かれたことを判定する判定ステップと、を備え、前記判断ステップは、前記実線が引かれたことの判定指示を受け付け、前記接触状況取得ステップで取得された前記筆記するための部位の接触状況を取得して、前記記入領域に前記実線が引かれたことを前記判定ステップで判定させることを特徴とする、情報処理方法が提供される。
【００１５】
また、上記課題を解決するために、本発明の別の観点によれば、コンピュータに、画面への筆記するための部位の接触状況を取得する接触状況取得ステップと、前記接触状況取得ステップで取得された前記筆記するための部位の接触状況に応じて実行する処理を判断する判断ステップと、前記判断ステップでの判断に基づいて前記画面に表示する内容を制御するとともに、前記筆記するための部位を用いて前記画面に表示された内容を読ませるための実線を前記内容の近傍に引かせる記入領域を設定する画面表示制御ステップと、前記画面表示制御ステップで設定された前記記入領域に前記実線が引かれたことを判定する判定ステップと、を実行させ、前記判断ステップは、前記実線が引かれたことの判定指示を受け付け、前記接触状況取得ステップで取得された前記筆記するための部位の接触状況を取得して、前記記入領域に前記実線が引かれたことを前記判定ステップで判定させることを特徴とする、コンピュータプログラムが提供される。
【発明の効果】
【００１６】
以上説明したように本発明によれば、ユーザに対し、画面に表示されている文章を読ませる意識を向上させることで業務漏れの低減を図ることが可能な、新規かつ改良された情報処理装置、情報処理方法およびコンピュータプログラムを提供することができる。
【図面の簡単な説明】
【００１７】
【図１】従来の取引画面の例を示す説明図である。
【図２】本発明の第１の実施形態にかかる情報表示システム１の構成例を示す説明図である。
【図３】本発明の第１の実施形態にかかる情報表示システム１を構成する、制御用コンピュータ１００およびタブレット２００の機能構成を示す説明図である。
【図４Ａ】タブレット２００の画面表示部２４０に表示される画面の一例を示す説明図である。
【図４Ｂ】タブレット２００の画面表示部２４０に表示される画面の一例を示す説明図である。
【図５】本発明の第１の実施形態にかかる情報表示システム１を構成する、制御用コンピュータ１００およびタブレット２００の動作を示す説明図である。
【図６】本発明の第１の実施形態にかかる情報表示システム１を構成する、制御用コンピュータ１００およびタブレット２００の動作を示す説明図である。
【図７】本発明の第１の実施形態にかかる情報表示システム１を構成する、制御用コンピュータ１００の動作を示す説明図である。
【図８】タブレット２００の画面表示部２４０に表示される画面の一例を示す説明図である。
【図９】タブレット２００の画面表示部２４０に表示される画面の一例を示す説明図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．第１の実施形態＞
［情報表示システムの構成例］
まず、本発明の第１の実施形態にかかる情報表示システムの構成例について説明する。図２は、本発明の第１の実施形態にかかる情報表示システム１の構成例を示す説明図である。以下、図２を用いて、本発明の第１の実施形態にかかる情報表示システム１の構成例について説明する。
【００２０】
図２に示したように、本発明の第１の実施形態にかかる情報表示システム１は、制御用コンピュータ１００と、タブレット２００と、電子ペン３００と、を含んで構成される。
【００２１】
制御用コンピュータ１００は、本発明の情報処理装置の一例であり、内部に有するコンピュータプログラム等によって、タブレット２００への画面表示を制御する。タブレット２００は、画面を表示する機能を有する板状の端末である。タブレット２００は、ＶＧＡ（Ｖｉｄｅｏ  Ｇｒａｐｈｉｃｓ  Ａｒｒａｙ）、ＤＶＩ（Ｄｉｇｉｔａｌ  Ｖｉｓｕａｌ  Ｉｎｔｅｒｆａｃｅ）その他の画像表示規格に則った画面表示用ケーブル１１、およびＵＳＢその他の規格に則った制御用ケーブル１２によって制御用コンピュータ１００と接続される。タブレット２００は、制御用コンピュータ１００の制御によって、画面に画像を表示する。
【００２２】
電子ペン３００は、タブレット２００のポインティングデバイスである。電子ペン３００のペン先を、タブレット２００の画面に接触させることで、タブレット２００は、電子ペン３００のペン先が接触した座標位置や、電子ペン３００のペン先の筆圧情報等の、電子ペン３００のタブレット２００の画面への接触に伴って発生する情報（以下「デバイス情報」とも称する）を取得することができる。
【００２３】
以上、本発明の第１の実施形態にかかる情報表示システム１の構成例について説明した。続いて、本発明の第１の実施形態にかかる情報表示システム１を構成する、制御用コンピュータ１００およびタブレット２００の機能構成について説明する。
【００２４】
［制御用コンピュータおよびタブレットの機能構成］
図３は、本発明の第１の実施形態にかかる情報表示システム１を構成する、制御用コンピュータ１００およびタブレット２００の機能構成を示す説明図である。以下、図３を用いて本発明の第１の実施形態にかかる情報表示システム１を構成する、制御用コンピュータ１００およびタブレット２００の機能構成について説明する。
【００２５】
図３に示したように、本発明の第１の実施形態にかかる制御用コンピュータ１００は、デバイス情報受信部１１０と、判断部１２０と、アンダーライン判定部１３０と、画面表示制御部１４０と、画面情報送信部１５０と、記憶部１６０と、を含んで構成される。
【００２６】
また、図３に示したように、本発明の第１の実施形態にかかるタブレット２００は、デバイス情報検知部２１０と、デバイス情報送信部２２０と、画面情報受信部２３０と、画面表示部２４０と、を含んで構成される。
【００２７】
まず制御用コンピュータ１００の構成について説明する。デバイス情報受信部１１０は、タブレット２００のデバイス情報送信部２２０から制御用ケーブル１２を介して送信されるデバイス情報を受信する。デバイス情報受信部１１０は、タブレット２００から受信したデバイス情報を判断部１２０へ提供する。
【００２８】
判断部１２０は、デバイス情報受信部１１０がタブレット２００から受信したデバイス情報の提供を受けて、そのデバイス情報を基に次に実行すべき動作を判断する。例えば、判断部１２０がデバイス情報受信部１１０から取得したデバイス情報が、タブレット２００に電子ペン３００で記入されたアンダーラインの判定処理を実行するためのボタンが押されたものであると判断すれば、判断部１２０は、タブレット２００に電子ペン３００で記入されたアンダーラインの判定をアンダーライン判定部１３０に指示する。また判断部１２０は、デバイス情報受信部１１０から取得したデバイス情報に基づいて、タブレット２００に表示すべき内容を決定し、画面表示制御部１４０に対して、タブレット２００に表示する情報の作成を指示する。
【００２９】
アンダーライン判定部１３０は、判断部１２０からの指示に基づいて、タブレット２００に電子ペン３００で記入されたアンダーラインの判定処理を実行するものである。アンダーライン判定部１３０は、例えば判断部１２０の指示により、タブレット２００に電子ペン３００で記入されたアンダーラインが所定の記入領域内に記入されたものであるかを判断する処理を実行する。
【００３０】
画面表示制御部１４０は、判断部１２０の指示に基づいて、タブレット２００に表示する情報（画面情報）を作成する。画面表示制御部１４０は、例えば、アンダーライン判定部１３０によるアンダーライン判定の結果をタブレット２００に表示させるための情報の作成の指示を判断部１２０から受けて、判断部１２０の指示に基づいて、アンダーライン判定部１３０によるアンダーライン判定の結果をタブレット２００に表示させるための情報を生成する。画面表示制御部１４０は、作成した情報を画面情報送信部１５０に送る。
【００３１】
画面情報送信部１５０は、画面表示制御部１４０が作成した、タブレット２００に表示する情報（画面情報）を、画面表示用ケーブル１１を介してタブレット２００に送信する。タブレット２００は、画面情報送信部１５０から画面表示用ケーブル１１を介して送られてきた情報（画面情報）を受信することで、制御用コンピュータ１００が生成した情報（画面情報）を表示することができる。
【００３２】
記憶部１６０は、デバイス情報受信部１１０が、タブレット２００から受信したデバイス情報を記憶する。記憶部１６０に記憶されたデバイス情報は、判断部１２０によるアンダーライン判定処理に用いられる。
【００３３】
続いてタブレット２００の構成について説明する。デバイス情報検知部２１０は、電子ペン３００のペン先がタブレット２００の画面表示部２４０に接触した際に、その接触した座標や電子ペン３００の筆圧などのデバイス情報を検知する。デバイス情報検知部２１０は、電子ペン３００のペン先の、画面表示部２４０への接触により得られるデバイス情報を、デバイス情報送信部２２０に送る。
【００３４】
デバイス情報送信部２２０は、デバイス情報検知部２１０が検知して取得したデバイス情報を受け取り、受け取ったデバイス情報を、制御用ケーブル１２を介して制御用コンピュータ１００へ送信する。
【００３５】
画面情報受信部２３０は、制御用コンピュータ１００の画面情報送信部１６０から画面表示用ケーブル１１を介して送信されて来る情報（画面情報）を受信する。画面情報受信部２３０は、画面情報送信部１６０から送信されて来る画面情報を画面表示部２４０へ送る。
【００３６】
画面表示部２４０は、画面情報受信部２３０から送られて来る画面情報に基づいて画像を表示する。画面表示部２４０は、画面情報受信部２３０から送られて来る画面情報に基づいて画像を表示することで、制御用コンピュータ１００の画面表示制御部１４０が生成した情報（画面情報）を表示することができる。また画面表示部２４０は、電子ペン３００のペン先の接触を検知することができるよう構成されている。画面表示部２４０が、電子ペン３００のペン先の接触を検知することができるよう構成されていることで、デバイス情報検知部２１０が電子ペン３００のデバイス情報を検知することができる。
【００３７】
制御用コンピュータ１００とタブレット２００とが、図３に示したような構成を有することで、タブレット２００の画面表示部２４０に電子ペン３００を接触させてアンダーラインを記入すると、制御用コンピュータ１００は、入力されたアンダーラインを判定して、アンダーラインが所定の記入領域内に記入されたかどうかを判定することが出来る。
【００３８】
図４Ａは、タブレット２００の画面表示部２４０に表示される画面の一例を示す説明図である。図４Ａに示したのは、画面表示部２４０に電子ペン３００のペン先を接触させてアンダーラインを記入させるための画面の一例である。図４Ａに示した画面には、アンダーライン記入部４１０、４２０、４３０と、確定ボタン４４０と、が含まれている。
【００３９】
アンダーライン記入部４１０、４２０、４３０は、ユーザに電子ペン３００のペン先を画面表示部２４０に接触させてアンダーラインを記入させるための領域である。アンダーライン記入部４１０、４２０、４３０は、それぞれ、ユーザに対して確認を促すための文章の下部に表示されている。ユーザは、電子ペン３００のペン先を画面表示部２４０に接触させて、アンダーライン記入部４１０、４２０、４３０にアンダーラインを記入することができる。
【００４０】
もちろん、アンダーライン記入部４１０、４２０、４３０の位置や数は、かかる例に限定されるものではないことは言うまでもない。例えば、アンダーライン記入部４１０、４２０、４３０の位置は、文章の下部ではなく、上部に設けられるようにしてもよい。アンダーライン記入部４１０、４２０、４３０の位置を、文章の上部に設ける場合であっても、画面に表示されている文章を読ませる意識を向上させるという目的は達成できる。
【００４１】
また、図４Ａでは、アンダーライン記入部４１０、４２０、４３０に実線で枠を設けていたが、本発明はかかる例に限定されるものではないことは言うまでもなく、枠の線種を破線や点線としても良く、また枠自体を表示しないようにしてもよい。枠自体を表示しないようにすることで、文章をより注意してユーザに読ませることができる。
【００４２】
確定ボタン４４０は、アンダーライン記入部４１０、４２０、４３０にアンダーラインを記入した後に押下するためのボタンである。ユーザが、電子ペン３００のペン先を画面表示部２４０に接触させて確定ボタン４４０を押下すると、制御用コンピュータ１００は、アンダーライン記入部４１０、４２０、４３０にアンダーラインが正確に記入されているかどうかを判定する処理を実行する。
【００４３】
制御用コンピュータ１００は、アンダーライン記入部４１０、４２０、４３０にアンダーラインが正確に記入されているかどうかを判定するに際して、例えば、アンダーライン記入部４１０、４２０、４３０に始点領域と終点領域とを設定し、その始点領域と終点領域とが一本のアンダーラインで結ばれているかどうか、かつ、そのアンダーラインがアンダーライン記入部４１０、４２０、４３０をはみ出していないかどうかで判定しても良い。
【００４４】
図４Ｂは、タブレット２００の画面表示部２４０に表示される画面の一例を示す説明図であり、図４Ａに示した画面の一例のうち、アンダーライン記入部４１０のみを抽出して示したものである。
【００４５】
図４Ｂには、アンダーライン記入部４１０に始点領域４１０ａおよび終点領域４１０ｂが設けられている状態を示している。なお、始点領域４１０ａおよび終点領域４１０ｂは、画面表示部２４０に現れないようにすることが望ましい。始点領域４１０ａおよび終点領域４１０ｂの存在をユーザに意識させないためである。
【００４６】
制御用コンピュータ１００は、アンダーライン記入部４１０にアンダーラインが正確に記入されているかどうかを判定するに際して、アンダーラインの始点がアンダーライン記入部４１０の始点領域４１０ａに、終点が終点領域４１０ｂに存在し、かつ、アンダーラインが一本で結ばれているかどうかを判断し、かつ、そのアンダーラインがアンダーライン記入部４１０をはみ出していないかどうか判断する。
【００４７】
制御用コンピュータ１００は、このようにアンダーラインを判定することで、アンダーライン記入部４１０にアンダーラインが正確に記入されているかどうかを判定することができる。
【００４８】
以上、図３を用いて本発明の第１の実施形態にかかる情報表示システム１を構成する、制御用コンピュータ１００およびタブレット２００の機能構成について説明した。次に、本発明の第１の実施形態にかかる情報表示システム１を構成する、制御用コンピュータ１００およびタブレット２００の動作について説明する。
【００４９】
［制御用コンピュータおよびタブレットの動作］
図５は、本発明の第１の実施形態にかかる情報表示システム１を構成する、制御用コンピュータ１００およびタブレット２００の動作を示す説明図である。図５に示した流れ図は、ユーザが電子ペン３００を用いてタブレット２００の画面表示部２４０に表示されている画面へ線を引く場合の、制御用コンピュータ１００およびタブレット２００の動作を示したものである。以下、本発明の第１の実施形態にかかる情報表示システム１を構成する、制御用コンピュータ１００およびタブレット２００の動作について説明する。
【００５０】
タブレット２００に、図４Ａに示したような画面が画面表示部２４０に表示されている場合において、ユーザが電子ペン３００のペン先をタブレット２００の画面表示部２４０に接触させてペン先を移動させると（ステップＳ１０１）、デバイス情報検知部２１０は、電子ペン３００のデバイス情報を検知し、デバイス情報送信部２２０は、デバイス情報検知部２１０が検知したデバイス情報を制御用コンピュータ１００に送信する（ステップＳ１０２）。ここでデバイス情報検知部２１０は、電子ペン３００の接触座標や筆圧、接触を開始した座標位置、接触を終了した座標位置などの情報を、デバイス情報として検出する。
【００５１】
制御用コンピュータ１００では、タブレット２００から送信されてきたデバイス情報をデバイス情報受信部１１０が受信し、デバイス情報受信部１１０が受信したデバイス情報は判断部１２０が取得する。判断部１２０は、取得したデバイス情報と、タブレット２００に表示されている内容とから、デバイス情報の判定を行う（ステップＳ１０３）。
【００５２】
ここで、判断部１２０が実行するデバイス情報の判定は、取得したデバイス情報から、電子ペン３００のペン先の座標位置が記入領域内にあるかどうかを判定して、記入領域内にあれば、タブレット２００の画面表示部へ、ペン先の移動に伴って線（アンダーライン）を表示する処理である。また、電子ペン３００のペン先の座標位置が記入領域内にあれば、デバイス情報は記憶部１６０に送られ、記憶部１６０に記憶される。
【００５３】
上記ステップＳ１０３で、タブレット２００に線（アンダーライン）を表示することを判断部１２０が決定すると。判断部１２０は、タブレット２００に線（アンダーライン）を表示するための情報を画面表示制御部１４０に作成させる。画面表示制御部１４０は、判断部１２０からの指示に基づいて、タブレット２００に線（アンダーライン）を表示するための情報を生成する。生成した情報は、画面情報送信部１５０からタブレット２００に送られる（ステップＳ１０４）。
【００５４】
タブレット２００は、画面情報送信部１５０から送信されてくる、線（アンダーライン）を画面表示部２４０に表示するための情報を画面情報受信部２３０で受信し、受信した情報に基づいて、線（アンダーライン）を画面表示部２４０に表示する（ステップＳ１０５）。
【００５５】
このように一連の動作が制御用コンピュータ１００及びタブレット２００で行われることで、ユーザが電子ペン３００を用いてタブレット２００の画面表示部２４０に表示されている画面へ線を引くことができる。
【００５６】
図６は、本発明の第１の実施形態にかかる情報表示システム１を構成する、制御用コンピュータ１００およびタブレット２００の動作を示す説明図である。図６に示した流れ図は、図４Ａに示したような画面が表示されている場合に、ユーザによって確定ボタン４４０が電子ペン３００で押下されたときの、制御用コンピュータ１００およびタブレット２００の動作を示したものである。以下、本発明の第１の実施形態にかかる情報表示システム１を構成する、制御用コンピュータ１００およびタブレット２００の動作について説明する。
【００５７】
ユーザが、電子ペンを用いてアンダーライン記入部４１０、４２０、４３０にアンダーラインを記入して、電子ペン３００で確定ボタン４４０を押下すると（ステップＳ２０１）、デバイス情報検知部２１０は、電子ペン３００のデバイス情報を検知し、デバイス情報送信部２２０は、デバイス情報検知部２１０が検知したデバイス情報を制御用コンピュータ１００に送信する（ステップＳ２０２）。ここでデバイス情報検知部２１０は、電子ペン３００の接触座標や筆圧、接触を開始した座標位置、接触を終了した座標位置などの情報を、デバイス情報として検出する。
【００５８】
制御用コンピュータ１００では、タブレット２００から送信されてきたデバイス情報をデバイス情報受信部１１０が受信し、デバイス情報受信部１１０が受信したデバイス情報は判断部１２０が取得する。判断部１２０は、取得したデバイス情報と、タブレット２００に表示されている内容とから、アンダーライン記入部４１０、４２０、４３０にアンダーラインが正確に記入されているかどうかの判定をアンダーライン判定部１３０に行わせる（ステップＳ２０３）。
【００５９】
そして判断部１２０は、アンダーライン判定部１３０による判定の結果から次にタブレット２００の画面表示部２４０に表示すべき画面を決定し、その画面を表示するための情報を画面表示制御部１４０に作成させる。例えば、アンダーライン判定部１３０による判定の結果、アンダーラインがアンダーライン記入部４１０、４２０、４３０に正確に記入されていれば次の業務の画面を、正確に記入されていなければエラー表示する画面を画面表示制御部１４０に作成させる。
【００６０】
画面表示制御部１４０は、判断部１２０からの指示に基づいて、タブレット２００の画面表示部２４０に表示する画面の情報を生成する。生成した情報は、画面情報送信部１５０からタブレット２００に送られる（ステップＳ２０４）。
【００６１】
タブレット２００は、画面情報送信部１５０から送信されてくる、画面表示部２４０に表示する画面の情報を画面情報受信部２３０で受信し、受信した情報に基づいて、画面表示制御部１４０が生成した画面を画面表示部２４０に表示する（ステップＳ２０５）。
【００６２】
図７は、アンダーライン判定部１３０による、アンダーライン記入部４１０へのアンダーラインの記入判定処理を示す流れ図である。アンダーライン判定部１３０は、記憶部１６０に記憶されているデバイス情報から、引かれた線の最も左の点がアンダーライン記入部４１０のある一定の領域内（例えば、始点領域４１０ａの中）にあり、また、最も右の点がアンダーライン記入部４１０の別の一定の領域内（例えば、終点領域４１０ｂの中）にあるかどうかを判定する（ステップＳ３０１）。
【００６３】
上記ステップＳ３０１の判定の結果、引かれた線の最も左の点がアンダーライン記入部４１０のある一定の領域内（例えば、始点領域４１０ａの中）にあり、また、最も右の点がアンダーライン記入部４１０の別の一定の領域内（例えば、終点領域４１０ｂの中）にあれば、続いて、アンダーライン判定部１３０は、アンダーライン記入部４１０に一筆書きで線が引かれているかどうかを判定する（ステップＳ３０２）。具体的には、アンダーライン判定部１３０は、アンダーライン記入部４１０に対して記憶部１６０に記憶されているデバイス情報を全て判定し、接触を開始した座標位置と、接触が終了した座標位置とが１つずつであれば、アンダーライン記入部４１０に一筆書きで線が引かれていると判定する。
【００６４】
上記ステップＳ３０２の判定の結果、アンダーライン記入部４１０に一筆書きで線が引かれていると判定した場合は、アンダーライン判定部１３０はアンダーラインがアンダーライン記入部４１０に正しく引かれたと判定する（ステップＳ３０３）。一方、上記ステップＳ３０１の判定の結果、引かれた線の最も左の点がアンダーライン記入部４１０のある一定の領域内（例えば、始点領域４１０ａの中）に無いか、もしくは最も右の点がアンダーライン記入部４１０の別の一定の領域内（例えば、終点領域４１０ｂの中）に無い場合、または、上記ステップＳ３０２の判定の結果、アンダーライン記入部４１０に一筆書きで線が引かれていないと判定した場合は、アンダーライン判定部１３０はアンダーラインがアンダーライン記入部４１０に正しく引かれていないと判定する（ステップＳ３０４）
【００６５】
なお、アンダーライン判定部１３０は、上述の処理に加え、記憶部１６０に記憶されているデバイス情報を全て判定し、線がアンダーライン記入部４１０からはみ出ていないかどうかで、アンダーラインがアンダーライン記入部４１０に正しく引かれているかどうかを判定してもよい。
【００６６】
制御用コンピュータ１００は、このようにアンダーラインが正確に引かれているかどうかの判定を実行することで、ユーザにアンダーラインを正確に引かせることができ、ユーザに対し、文章を読む意識を向上させることが出来る。従って、制御用コンピュータ１００は、ユーザに対して文章をよく読まずにチェックを付ける行為を低減することが可能になり、業務漏れの低減を図ることが出来る。
【００６７】
また、ユーザに引かせるアンダーラインは一筆書きとすることで、アンダーラインを引かずに、アンダーライン記入部４１０の左端と右端の定められた領域に触れただけでアンダーラインを引いたように見せかける行為を防止でき、業務漏れの低減を図ることが出来る。
【００６８】
＜２．第２の実施形態＞
上述した本発明の第１の実施形態では、１行につき１つのアンダーライン記入部を設けて、ユーザに対し、そのアンダーライン記入部にアンダーラインを記入させていた。以下で説明する本発明の第２の実施形態では、アンダーライン記入部を句読点に対応する位置で区切っておく。これにより、ユーザの文章を読む意識をより向上させることが出来る効果が期待できる。
【００６９】
本発明の第２の実施形態にかかる情報表示システム１を構成する装置、および各装置の構成は、図１および図２に示した本発明の第１の実施形態にかかる情報表示システム１を構成する制御用コンピュータ１００およびタブレット２００と同一であるので、構成についての詳細な説明は省略する。
【００７０】
図８は、本発明の第２の実施形態にかかる情報表示システム１のタブレット２００の画面表示部２４０に表示される画面の一例を示す説明図である。図８に示したのは、画面表示部２４０に電子ペン３００のペン先を接触させてアンダーラインを記入させるための画面の一例である。図８に示した画面には、アンダーライン記入部５１０ａ、５１０ｂ、５２０ａ、５２０ｂ、５３０ａ、５３０ｂと、確定ボタン５４０と、が含まれている。
【００７１】
図８に示したように、本発明の第２の実施形態では、各アンダーライン記入部は句読点に対応する位置で区切られている。そして、各アンダーライン記入部に対するアンダーラインの記入判定は、上述した本発明の第１の実施形態でのアンダーライン判定部１３０による判定と同様に行われる。このように、各アンダーライン記入部を、句読点に対応する位置で区切り、各アンダーライン記入部へアンダーラインをユーザに引かせることで、ユーザの文章を読む意識をより向上させることが出来る。
【００７２】
図９は、本発明の第２の実施形態にかかる情報表示システム１のタブレット２００の画面表示部２４０に表示される画面の一例を示す説明図である。図９に示したのは、画面表示部２４０に電子ペン３００のペン先を接触させてアンダーラインを記入した状態の画面を示したものである。
【００７３】
図９に示した画面は、いずれも、各アンダーライン記入部に正確にアンダーラインが記入されていない例を示したものである。アンダーライン記入部５１０ａ、５１０ｂに記入されたアンダーラインは、アンダーライン記入部５１０ａにおいて、終点が所定の領域内に含まれておらずアンダーライン記入部５１０ａからはみ出しており、アンダーライン記入部５１０ｂにおいて、始点が所定の領域内に含まれておらずアンダーライン記入部５１０ｂからはみ出している。アンダーライン記入部５２０ａ、５２０ｂに記入されたアンダーラインについても同様である。
【００７４】
また、アンダーライン記入部５３０ａに記入されたアンダーラインは、始点も終点も所定の領域内に含まれているが、アンダーラインがアンダーライン記入部５３０ａからはみ出している。そしてアンダーライン記入部５３０ｂに記入されたアンダーラインは、始点が所定の領域内に含まれておらずアンダーライン記入部５３０ｂからはみ出している。
【００７５】
制御用コンピュータ１００は、各アンダーライン記入部を、句読点に対応する位置で区切り、各アンダーライン記入部にアンダーラインが正確に引かれているかどうかの判定を実行することで、ユーザにアンダーラインを正確に引かせることができ、ユーザに対し、文章を読む意識をさらに向上させることが出来る。従って、制御用コンピュータ１００は、ユーザに対して文章をよく読まずにチェックを付ける行為を低減することが可能になり、業務漏れの低減を図ることが出来る。
【００７６】
また、ユーザに引かせるアンダーラインは一筆書きとすることで、アンダーラインを引かずに、各アンダーライン記入部の左端と右端の定められた領域に触れただけでアンダーラインを引いたように見せかける行為を防止でき、業務漏れの低減を図ることが出来る。そして、各アンダーライン記入部を、句読点に対応する位置で区切ることで、ユーザの文章を読む意識をより向上させることが出来る。
【００７７】
なお、本発明においてはかかる例に限定されるものではない。例えば、各アンダーライン記入部を、図８や図９のように明確に句読点に対応する位置で区切るのではなく、図４Ａに示したように行単位で１つずつ設け、アンダーラインの記入判定の際に、アンダーラインが句読点に対応する位置で区切られているかどうかを判定することで、句読点の下でアンダーラインがきちんと途切れているかを判断しても良い。
【００７８】
＜３．まとめ＞
以上説明したように本発明の各実施形態によれば、ユーザに対し、重要な文章を読ませる意識を向上させるために、タブレット２００に表示される文章の下部に、電子ペン３００を用いてアンダーラインを引かせる。制御用コンピュータ１００は、タブレット２００で業務が進められようとしている際に、設定した所定のアンダーライン記入部に、正確にアンダーラインが引かれたかどうかを判定する。制御用コンピュータ１００は、アンダーラインが正確に記入されていればタブレット２００で業務を進め、正確に記入されていなければ業務を進めないようにする。
【００７９】
このように、タブレット２００で表示される文章に電子ペン３００でアンダーラインが正確に引かれたかどうかを制御用コンピュータ１００が判定することで、ユーザが文章をよく読まずに処理を進めることを防ぐ効果が期待でき、ユーザの文章を読む意識を向上させることが出来る。
【００８０】
さらに、本発明の第２の実施形態では、ユーザに対し、重要な文章を読ませる意識をより一層向上させるために、タブレット２００に表示される文章の下部に、電子ペン３００を用いて、句読点で区切るようにアンダーラインを引かせる。これにより、ユーザが文章をよく読まずにただアンダーラインを引くという動作を防ぐ効果が期待でき、ユーザの文章を読む意識をより一層向上させることが出来る。
【００８１】
なお、上記実施形態における各種動作は、ハードウェア的な処理によって実行されるようにしてもよく、ソフトウェア的な処理によって実行されるようにしてもよい。ソフトウェア的な処理によって上記各実施形態における各種動作を実行する場合には、コンピュータプログラムが格納された記録媒体及びコンピュータプログラムを実行するプロセッサその他の制御手段を制御用コンピュータ１００に設け、係る記録媒体からコンピュータプログラムを読み出し、係る制御手段において順次実行するようにしてもよい。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８３】
１    情報表示システム
１１    画面表示用ケーブル
１２    制御用ケーブル
１００    制御用コンピュータ
１１０    デバイス情報受信部
１２０    判断部
１３０    アンダーライン判定部
１４０    画面表示制御部
１５０    画面情報送信部
１６０    記憶部
２００    タブレット
２１０    デバイス情報検知部
２２０    デバイス情報送信部
２３０    画面情報受信部
２４０    画面表示部
３００    電子ペン
【図１】
0005810858.tif 000002
【図２】
0005810858.tif 000003
【図３】
0005810858.tif 000004
【図４Ａ】
0005810858.tif 000005
【図４Ｂ】
0005810858.tif 000006
【図５】
0005810858.tif 000007
【図６】
0005810858.tif 000008
【図７】
0005810858.tif 000009
【図８】
0005810858.tif 000010
【図９】
0005810858.tif 000011